(57)【要約】本発明は、少なくとも１つの対象物供給部と１つの、分配最終位置に関する分配情報に基づいて発送物を分配するための分配装置とを備えた分類機の使用下での大量発送物の処理に関する。その際、大量発送物の、個々の発送物（１）は発送元でフィルムウェブ（４，５）内に、ひとまとまりの袋ウェブを成すように溶接により封入され、袋ウェブ内の発送物（１）はひとまとまりに送付される。その都度の目的地で、袋ウェブは分類機内に、対象物供給部の搬送装置（１０）により引き込まれる。さらに、分断装置（１５）により、フィルム袋（８）は互いに分断される。引き続いて、加速装置（１６）により、更なる処理のために必要な、フィルム袋（８）間の間隙が生ぜしめられる。
2005521604.tif 000002
【特許請求の範囲】
【請求項１】
少なくとも１つの対象物供給部と１つの、分配最終位置に関する分配情報に基づいて発送物を分配するための分配装置とを備えた分類機の使用下で大量発送物を処理する方法において、大量発送物の、個々の発送物（１）を発送元でフィルムウェブ（４，５）内に、ひとまとまりの袋ウェブを成すように溶接により封入し、袋ウェブ内の発送物（１）をひとまとまりに送付し、その都度の目的地で袋ウェブとして分類機内に、対象物供給部の搬送装置（１０）により引き込み、さらに、分断装置（１５）を用いて互いに分断し、その後、加速装置（１６）を用いて、分類機内での更なる処理のために必要な、フィルム袋（８）間の間隙を生ぜしめることを特徴とする、大量発送物を処理する方法。
【請求項２】
発送元で、袋ウェブを製作するために、大量発送物の発送物を相前後して、包装ユニット（７）の、ロール（３）から繰り出される２つのエンドレスなフィルムウェブ（４，５）間に案内し、包装ユニット（７）内で発送物を完全に、フィルムウェブを小分けすることなく溶接により封入する、請求項１記載の方法。
【請求項３】
ひとまとまりの、フィルム内に溶接により封入された発送物を折り畳み式に、適当な搬送容器（９）内に集積し、目的地へと搬送する、請求項１記載の方法。
【請求項４】
ひとまとまりの、フィルム内に溶接により封入された発送物をロール形状に集積し、目的地へと搬送する、請求項１記載の方法。
【請求項５】
溶接により封入された発送物（１）を備えた袋ウェブの側方にパーフォレーションを設け、分類機の対象物供給部の、引き込む搬送装置（１０）が搬送歯車（１２）を有するようにし、該搬送歯車（１２）をパーフォレーションに係入させる、請求項１または２記載の方法。
【請求項６】
溶接による封入後に、各フィルム袋（８）に、アドレスラベルまたはアドレス印刷を施す、請求項１記載の方法。
【請求項７】
透明なフィルムを使用する、請求項１記載の方法。
【請求項８】
請求項１記載の方法を実施するための装置において、分類機の対象物供給部が、溶接により封入された発送物（１）を備えた袋ウェブを引き込むための搬送装置（１０）と、発送物の入った個々のフィルム袋（８）に分断するための分断装置（１５）と、分類機内での更なる処理のために必要な、フィルム袋（８）間の間隙を生ぜしめるための加速装置（１６）とを有していることを特徴とする、請求項１記載の方法を実施するための装置。
【請求項９】
分類機の対象物供給部の、引き込む搬送装置（１０）が搬送歯車（１２）を有しており、該搬送歯車（１２）が袋ウェブの、側方のパーフォレーションに係入する、請求項８記載の装置。
【発明の詳細な説明】
【技術分野】
【０００１】
本発明は、請求項１の上位概念部に記載された、大量発送物を処理する方法および該方法を実施するための装置に関する。
【０００２】
大量発送物（特に大判の発送物）はこれまで一般に単体として結束された形（例えばプラスチックフィルムまたはバンドによる「束」）で発送される（ドイツ連邦共和国特許第３０１５８２９号明細書、欧州特許出願公開第０３０３２０３号明細書参照）。この送付形態は、引き続いてのマニュアル式の処理（例えば郵便配達員によるルート順分類）の点で比較的良好に適している。さらに、大量発送物（雑誌、カタログ、宣伝発送物）の場合、公知のフィーダテクノロジによって対処するのが困難な品質がしばしば問題となる（発送物の損傷、発送物相互の固着、フィーダ内での発送物の固着）。そのように送付される大量発送物を分類機で処理する際、以下に挙げる手間のかかる（人手のかかる）一連の作業ステップが必要である：
ａ）束を崩し、
ｂ）機械による処理のために発送物を準備し（アドレス面を表にする・積み重ね・整列）、
ｃ）発送物を、個別化するための対象物供給部に置き、
ｄ）フィーダにおける発送物の流れを監視し、場合によっては障害を除去する。
【０００３】
それゆえ、本発明の課題は、上位概念部に記載された形式の、大量発送物を処理する方法および該方法を実施するための装置を改良して、背景技術に比して人的な手間を大幅に削減し、しかも、分類機内での発送物の個別化をより簡単かつ確実に実施できるようにすることである。
【０００４】
本発明により、上記課題は請求項１記載の方法および請求項８記載の装置により解決される。
【０００５】
大量発送物の、個々の発送物は発送元でフィルムウェブ内に、連なったもしくはひとまとまりの袋ウェブを成すように溶接により封入される。その後、発送物はひとまとまりに送付される。その都度の目的地で、送付物の入った袋ウェブは分類機の対象物供給部内に搬送装置により引き込まれる。その後、送付物の入ったフィルム袋は切断装置により互いに分断される。引き続いて、加速装置を用いて、分類機内での更なる処理のために必要な、フィルム袋間の間隙が生ぜしめられる。つまり、唯一のマニュアル式の作業ステップで、発送物の入った区画ウェブの始端を分類機の対象物供給部に導入するだけでよい。その後、個別化は確実かつ簡単に、かつ従来慣用の摩擦式個別化に比べて大幅に安価に実施される。明らかに高い処理能力も可能である。
【０００６】
本発明の有利な構成は従属請求項に記載されている。
【０００７】
発送物を発送元で相前後して、包装装置の、ロールから繰り出される２つのエンドレスなフィルムウェブ間に案内し、包装装置内で発送物を完全に、フィルムウェブを小分けすることなく溶接により封入することは有利である。
【０００８】
連なったもしくはひとまとまりの、フィルム内に溶接により封入された発送物を折り畳み式に適当な搬送容器内に集積した形で、またはロール形状で搬送することは、搬送にとって有利である。
【０００９】
フィルムを分類機の対象物供給部内に確実に引き込むために、袋ウェブの側方にパーフォレーションを設け、引き込む搬送装置に搬送歯車を装備し、該搬送歯車をパーフォレーションに係入させることは有利である。発送物が受取人にオリジナルな状態で届くように、溶接による封入後に、各フィルム袋に、アドレスラベルもしくはアドレスシールまたはアドレス印刷を施すことは有利である。受取人のアドレスが発送物に直にある場合、フィルムを透明に構成するのが有利である。
【００１０】
以下に図面を参照しながら、本発明の実施例につき詳説する。
【００１１】
図１に示したように、発送元で、大量発送物の、個々の発送物１は第１のコンベヤベルト２上を、自体公知の包装モジュールへと供給される。包装モジュールはフィルムウェブ４，５を備えた２つのロール３を有している。下側のロール３のフィルムウェブ５は直接、発送物１を第１のコンベヤベルト２から受け取る別の第２のコンベヤベルト６上を案内されている。その結果、発送物１は下側のフィルムウェブ５に載置されており、包装ユニット７を通して搬送される。上側のロール３のフィルムウェブ４は下側のフィルムウェブ５の上方を、発送物１を覆うような形で案内される。その後、包装ユニット７内で、フィルムウェブ４，５は発送物１毎に溶接もしくは融着されるので、結果的に互いに結合された、発送物の入ったフィルム袋８が包装ユニット７から出てくる。その後、このフィルム袋８は搬送容器９内で折り畳み式（ｌｅｐｏｒｅｌｌｏａｒｔｉｇ）に蓄積される。包装ユニット７内で、発送物１の入った袋８にアドレス印刷が施され、その際、アドレス（宛名もしくは宛先）は相応のデータから取り出される。このデータを目的地に一緒に送付するなり伝送するなりして、アドレスを初めて分類機内で付与することも可能である。結合されたフィルム袋の、目的地での処理を簡単化するために、袋８を備えたフィルムウェブには、包装ユニット７内で両サイドにパーフォレーションもしくは送り穴が設けられる。目的地で、大量発送物の、折り畳み式に搬送容器９内に集積された袋８の最初の袋８が分類機の対象物供給部（Ｓｔｏｆｆｅｉｎｇｅｂｅ）にマニュアル式に導入され、後続の経過はその後自動的に実施される。
【００１２】
図２には、引き込まれた袋ウェブが分類機の対象物供給部内でどのように扱われるかが概略的に示されている。対象物供給部の入口に、搬送装置１０が位置している。搬送装置１０は、弾性的な表面を有する搬送ローラ１１と、側方のパーフォレーションに係入する搬送歯車１２とから成る。これにより、袋ウェブは搬送容器９から分類機内に引き込まれ、押付けロール１４を備えた搬送ベルト１３により受け取られる。搬送容器９は、例えば袋ウェブに作用する重力を軽減するために、傾斜してまたは横倒しに設置されてもよい。発送物は袋ウェブ内で、ウェブ方向に対して横向きにもしくは縦向きに整列されて梱包されていることができる。搬送速度は、それが引き続いてのプロセスに合わせて調整されていて、高いプロセス確実性を保証するように設定されている。両搬送装置間には、分断装置１５が位置している。分断装置１５により、連続する袋８のウェブは個々の袋８に、ウェブ方向に対して直角に分割される。分断装置１５は本例では可動な切断刃を備えた切断装置である。分断装置の制御は簡単に、フィルムウェブの縁部に位置する制御マークと、これを検出する、切断運動をリリースするためのセンサとの助けを借りて実施されることができる。切断時にフィルムウェブが軽く緊張させられているようにするために、搬送ベルト１３の搬送速度は、引き込み用の搬送装置１０の搬送速度よりも若干高い。可動な切断刃は回転式の刃付ローラまたは往復可動式の刃であることができる。ただし、熱を利用した分断装置またはレーザが使用されてもよい。その後、個々の袋８は搬送ベルト１３により、加速ベルト１７と押付けロール１８とから成る加速装置１６に供給される。この場合、加速は先行および後続の構成群における搬送速度よりも短期的に高い搬送速度で、分類機内での更なる処理のために必要な、袋間の最小間隔が遵守されるように実施される。必要ならば、複数の加速ベルトが相前後して配置されてもよい。
【図面の簡単な説明】
【００１３】
【図１】フィルム内にあって互いに結合された発送物を製作するための装置の概略側面図である。
【００１４】
【図２】折り畳み式に集積された発送物を有する容器、および発送物を分類機の対象物供給部内に引き込む部分の概略側面図である。
【図１】
2005521604.tif 000003
【図２】
2005521604.tif 000004
【国際調査報告】
2005521604.tif 000005
2005521604.tif 000006
2005521604.tif 000007
2005521604.tif 000008